(57)【要約】【課題】要求の変更に応じて、工業規模で容易に柔軟に製造可能な支持筐体及びドアー固定装置を提供する。【解決手段】ドアー固定装置の機能要素（３５，３６）のための筐体部分（２７ａ，２７ｂ）を含む支持筐体（２７）において、前記筐体部分（２７ａ，２７ｂ）は、第一開口端部（２４）で機能要素（３５，３６）を受容するための受容部（４８）を有しており、所定の長さで切り分けられた押出成形輪郭部材（１）として形成される。第一面（３４）を有するドアー支持棒（２６）と、前記ドアー支持棒（２６）の第一面（３４）と相互に作用する第一機能要素（３５）と、第一筐体部分（２７ａ）を有する支持筐体（２７）とを含むドアー固定装置において、前記第一筐体部分（２７ａ）の第一開口端部（２４）は開放しており、前記第一筐体部分（２７ａ）は第一機能要素（３５）のための受容部（４８）を有しており、前記第一筐体部分（２７ａ）は所定の長さで切り分けられた押出成形輪郭部材（１）として形成される。【選択図】  図２
2009508023.tif 000002
【特許請求の範囲】
【請求項１】
ドアー固定装置の機能要素（３５，３６）のための筐体部分（２７ａ, ２７ｂ）を含み、前記筐体部分（２７ａ, ２７ｂ）が、前記機能要素（３５，３６）のための受容部（４８）を有しており、該受容部（４８）は、第一開口端部（２４）で開放している、支持筐体（２７）であって、
前記筐体部分（２７ａ, ２７ｂ）は、内側輪郭部（２）と、包囲側壁（４９）と、外側輪郭部（３）とを有する本質的に所望の長さの成形部材を押出成形によって製造して該成形部材を所定の長さに切り分けることによって形成された、押出成形輪郭部材（１）であることを特徴とする支持筐体。
【請求項２】
前記受容部（４８） は、前記筐体部分（２７ａ, ２７ｂ）と共に、前記機能要素を全周囲にわたって取り囲む包囲側壁（４９）を形成することを特徴とする請求項１に記載の支持筐体。
【請求項３】
前記筐体部分（２７ａ, ２７ｂ）に外側輪郭部（３）を配置することを特徴とする請求項１又は２に記載の支持筐体。
【請求項４】
前記外側輪郭部（３）が、第一固定手段のための第一輪郭部（５）を含んでいることを特徴とする請求項３に記載の支持筐体。
【請求項５】
前記第一固定手段は、本質的にＴ形状のネジ頭部（２８ａ）を有するネジ（２８）であり、前記第一輪郭部（５）は、第一切り込み部（１３ａ）と第二切り込み部（１３ｂ）とを有しており、前記第一切り込み部（１３ａ）及び前記第二切り込み部（１３ｂ）は、前記ネジ（２８）のネジ頭部（２８ａ）を受容することを特徴とする請求項４に記載の支持筐体。
【請求項６】
前記外側輪郭部（３）は、第二固定手段のための第二輪郭部（１４）を含んでいることを特徴とする請求項３乃至５の何れか一つに記載の支持筐体。
【請求項７】
前記第二固定手段は、リベット軸部（３０，３１）を有するリベット（２９ａ，２９ｂ）として構成されており、前記第二輪郭部（１４）は、部分的に前記リベット（２９ａ，２９ｂ）のリベット軸部（３０，３１）を包囲することを特徴とする請求項６に記載の支持筐体。
【請求項８】
前記外側輪郭部（３）は、第三輪郭部（１８）を含んでいることを特徴とする請求項３乃至７の何れか一つに記載の支持筐体。
【請求項９】
前記第三輪郭部（１８）の中に端部ストッパー用部品を受容させることを特徴とする請求項８に記載の支持筐体。
【請求項１０】
前記端部ストッパー用部品は、軟性のプラスチックで構成された材料片（３３ａ，３３ｂ）を含み、前記材料片（３３ａ，３３ｂ）を前記第三輪郭部（１８）に固定することを特徴とする請求項９に記載の支持筐体。
【請求項１１】
前記第三輪郭部（１８）は、第一脚部分（２２ａ）と第二脚部分（２２ｂ）とを含み、前記材料片（３３ａ，３３ｂ）を前記第一脚部分（２２ａ）と前記第二脚部分（２２ｂ）との間に受容させ、前記第一脚部分（２２ａ）と前記第二脚部分（２２ｂ）を打出すことによって、前記材料片（３３ａ，３３ｂ）を前記筐体部分（２７ａ, ２７ｂ）に固定することを特徴とする請求項１０に記載の支持筐体。
【請求項１２】
前記受容部（４８）は、第二開口端部（２５）を有していることを特徴とする請求項１乃至１１の何れか一つに記載の支持筐体。
【請求項１３】
前記第二開口端部（２５）に封止部（４３ａ，４３ｂ）を固定して、前記封止部（４３ａ，４３ｂ）により、前記第二開口端部（２５）を閉じることを特徴とする請求項１２に記載の支持筐体。
【請求項１４】
前記第二開口端部（２５）に固定のためのエンボス部を設けて、該エンボス部によって、前記筐体部分（２７ａ, ２７ｂ）に前記封止部（４３ａ，４３ｂ）を固定することを特徴とする請求項１３に記載の支持筐体。
【請求項１５】
前記筐体部分（２７ａ, ２７ｂ）を、アルミニウム又はアルミニウム合金で構成することを特徴とする請求項１乃至１４の何れか一つに記載の支持筐体。
【請求項１６】
各々が、所定の長さで切り分けられた押出成形輪郭部材として形成された、第一筐体部分（２７ａ）及び第二筐体部分（２７ｂ）を含んでいる請求項１乃至１５の何れか一つに記載の支持筐体。
【請求項１７】
前記第一筐体部分（２７ａ）及び前記第二筐体部分（２７ｂ）を、互いに鏡像対称に配置することを特徴とする請求項１６に記載の支持筐体。
【請求項１８】
第一面（３４）を有するドアー支持棒（２６）と、
前記ドアー支持棒（２６）の第一面（３４）と相互に作用する第一機能要素（３５）と、
第一開口端部（２４）で開放している第一筐体部分（２７ａ）と、前記第一機能要素（３５）のための受容部（４８）とを有する支持筐体（２７）と、
を含むドアー固定装置であって、
前記第一筐体部分（２７ａ）は、内側輪郭部（２）と、包囲側壁（４９）と、外側輪郭部（３）とを有する本質的に所望の長さの成形部材を押出成形によって製造して該成形部材を所定の長さに切り分けることによって形成された、押出成形輪郭部材（１）であることを特徴とするドアー固定装置。
【請求項１９】
前記ドアー支持棒（２６）と相互に作用する第二機能要素（３６）と、
第一開口端部（２４）と、前記第二機能要素（３６）のための受容部（４８）とを有する第二筐体部分（２７ｂ）と、
を更に含む請求項１８に記載のドアー固定装置。
【請求項２０】
前記第二筐体部分（２７ｂ）は、内側輪郭部（２）と、包囲側壁（４９）と、外側輪郭部（３）とを有する本質的に所望の長さの成形部材を押出成形によって製造して該成形部材を所定の長さに切り分けることによって形成された、押出成形輪郭部材（１）であることを特徴とする請求項１９に記載のドアー固定装置。
【請求項２１】
前記第一筐体部分（２７ａ）を前記ドアー支持棒（２６）の第一面（３４）に割り当てて、前記第二筐体部分（２７ｂ）を、前記ドアー支持棒（２６）の第一面（３４）から離れて面している前記ドアー支持棒（２６）の第二面に割り当てることを特徴とする請求項１９又は２０に記載のドアー固定装置。
【請求項２２】
前記第一筐体部分（２７ａ）及び前記第二筐体部分（２７ｂ）を、共通の固定手段により、互いに固定することを特徴とする請求項２１に記載のドアー固定装置。
【請求項２３】
前記共通の固定手段はリベット（２９ａ，２９ｂ）であり、前記リベット（２９ａ，２９ｂ）の第一リベット軸部（３０）を前記第一筐体部分（２７ａ）に固定して、前記リベット（２９ａ，２９ｂ）の第二リベット軸部（３１）を前記第二筐体部分（２７ｂ）に固定することを特徴とする請求項２２に記載のドアー固定装置。
【請求項２４】
前記リベット（２９ａ，２９ｂ）は、第三リベット軸部（３２）を含み、該第三リベット軸部（３２）は、前記第一リベット軸部（３０）と前記第二リベット軸部（３１）との間に配置されており、前記第三リベット軸部（３２）は、前記第一筐体部分（２７ａ）と前記第二筐体部分（２７ｂ）を、互いに離した状態に保つことを特徴とする請求項２３に記載のドアー固定装置。
【請求項２５】
前記ドアー支持棒（２６）は、その側方面で前記第三リベット軸部（３２）に隣接することを特徴とする請求項２３又は２４に記載のドアー固定装置。
【発明の詳細な説明】
【技術分野】
【０００１】
本発明は、ドアー固定装置のための請求項１の前文に記載の支持筐体、及び請求項１８の前文に記載のドアー固定装置に関する。
【背景技術】
【０００２】
【特許文献１】ＤＥ １０３ ０２  ５４９  Ａ１
【０００３】
特許文献１には、第一面を有するドアー保持棒と、第一摺動体として構成されており該ドアー保持棒の前記第一面に作用する第一機能要素と、支持筐体と、を有しているドアー固定装置が記載されている。前記支持筐体は、第一端部で開放している筐体部分を有している。前記第一摺動体は、縦方向に案内するための受容部の中に収容されている。この場合に、前記支持筐体の前記筐体部分は、射出成形により製造されたプラスチック部品として構成されている。
【発明の開示】
【発明が解決しようとする課題】
【０００４】
この場合では、前記筐体部分を適切な形状にする必要があるために、前記支持筐体の製造が複雑となり、特に大量生産する場合には時間を消費するという不都合が生じる。更に、前記筐体部分の設計変更が必要となる場合には、簡単な設計変更がなされた筐体部分の製造工程を大量生産工程に統合するのは、ただ困難なだけであるために不都合である。
【０００５】
また、特に問題なのは、一つの面で車体の金属板に固定された前記支持筐体は、組み立ての際に生じる公差のために、前記ドアー保持棒の二つの軸受孔を直線上に結ぶことによって本質的に得られる作用線に対して、所定の角度を含んでおり、そのため、ねじりモーメントが生じて車体の前記金属板上に力が生じ得る。
【０００６】
また、前記支持筐体が射出成形されたプラスチック部品として製造された場合では、前記筐体部分の設計変更は、車体の前記金属板に面する前記支持筐体の面を前記支持筐体の残りの部分に対してずらして調整を行うような、ただ非常に労力がかかるだけのやり方で後から追加して行わなければならない。従って、前記支持筐体の形状を最適に調整しなければ、一般に、不都合にも車体の金属板に力が生じてしまう。
【０００７】
本発明の目的は、最初に記載した種類の支持筐体及びドアー固定装置を、簡単な方法で、かつ要求が変更した場合には柔軟に大量生産をすることが可能となるように、構成することである。
【課題を解決するための手段】
【０００８】
本発明によれば、請求項１の前文に記載の支持筐体に対しては、請求項１に記載の特徴によって、又、請求項１８の前文に記載のドアー固定装置に対しては、請求項１８に記載の特徴によって、本発明の目的は達成される。
【０００９】
本発明によるドアー固定装置の支持筐体の筐体部分が、内側輪郭部と、包囲側壁と、外側輪郭部とを有する本質的に所望の長さの成形部材を押出成形によって製造して該成形部材を所定の長さに切り分けることによって形成された、押出成形輪郭部材であれば、可塑性の溶融物を成形のためのダイに通過させて流出させる方法により押出成形を行うので、前記筐体部分は、特に簡単に且つ短時間で大量に製造可能である。この場合に、成形のための前記ダイには、内部に心棒を設けてあるので、中空部の輪郭を形成することが可能である。成形のための前記ダイにより、前記筐体部分の画成された外側輪郭部も実現できる。所定の長さの押出成形輪郭部材に切り分けることのほかに、前記筐体部分の製造での別の工程段階を省くことができる。このために、特に短時間で、多くの数の前記筐体部分を製造することができる。
【００１０】
前記筐体部分の形状を適合させなければならないことが必要であるとわかれば、ダイを適切に変えれば十分である。そのため、変更された要求に迅速に対応することができる。特に、車体の金属板に接する前記支持筐体の支持面を力の作用線に対して可能な限り垂直となるように向きを合わせて、ねじりモーメントによる車体の金属板に生じる力が最小限に抑えられるように、大量生産の過程において、前記支持筐体を適合させることが容易に可能である。
【００１１】
好適には、機能要素のための受容部が、前記筐体部分とともに機能要素の全周囲を取り囲む側壁を形成している。前記受容部は、確実に前記機能要素を収容する。前記機能要素が縦に移動可能な滑動体として構成されていれば、前記受容部は、縦方向に少なくとも部分的に前記機能要素を確実に案内する。この際、心棒を有するダイを用いた押出形成により、このような中空部の輪郭を容易に製造することが可能である。
【００１２】
好適には、前記支持筐体の前記筐体部分は、ダイの成形によって、簡単に製造可能な外側輪郭部を有している。この際、該外側輪郭部を製造するために、前記成形部材を所定の長さに切り分けることにより形成された前記押出成形輪郭部材の後処理を必要とすることなく、前記筐体部分の前記外側輪郭部は更なる機能を満たすことができる。
【００１３】
特に好適には、前記外側輪郭部は、第一固定手段のための第一輪郭部を有している。特に、前記第一輪郭部は、第一切り込み部及び第二切り込み部を有している。該第一切り込み部及び第二切り込み部は、それらの間で第一固定手段として設けられる固定ネジの頭部を受容する。このようにして、前記固定ネジによって、前記支持筐体を車体の金属板上に固定することができる。
【００１４】
更に好適には、前記外側輪郭部は、前記第一輪郭部に加えて、第二固定手段のための第二輪郭部を有している。前記第二固定手段は、軸部を有するリベットである。該リベットは、第一筐体部分及び第二筐体部分を互いに固定するために設けている。前記第二輪郭部は、前記リベット軸部を部分的にぴったりと受容するように構成されている。
【００１５】
更に好適には、前記第一輪郭部及び前記第二輪郭部のうちの一つに加えて、前記外側輪郭部は、第三輪郭部を有している。該第三輪郭部に端部ストッパー用部品を受容させる。例えば、柔軟なプラスチックの材料片として構成される前記端部ストッパー用部品を、前記第三輪郭部の第一脚部分と第二脚部分の間に受容させる。この場合に、前記第一脚部分及び第二脚部分のうちの少なくとも一つをかしめることにより、前記端部ストッパー用部品を、容易に前記支持筐体の前記筐体部分に固定することができる。
【００１６】
好適には、封止部分を用いて前記筐体部分の第二開口端部を閉じる。前記封止部分は、エンボス固定によって簡単な方法で、前記筐体部分に固定される。そのため、本質的には、前記筐体部分は、その第一開口端部では開放した受容部に配置されて案内される機能要素によって閉じられて、前記第二開口端部では前記封止部分によって閉じられる。
【００１７】
好適には、前記筐体部分は、アルミニウム、アルミニウム合金、又は、例えば、マグネシウム又はマグネシウム合金のような別の軽金属で製造される。この場合に、上記した材料は、特に押出成形によって、容易に且つ安価に成形でき、重量も軽くなるだけである。
【００１８】
好適には、前記支持筐体は、二つの同一の筐体部分を含んでいる。特に、これら二つの筐体部分は、好ましくは互いに対称に配置されており、これら二つの筐体部分が同じ押出成形輪郭部材として切り分けられていれば、特に、このことは容易に可能である。
【００１９】
上記した本発明の支持筐体の利点及び好適な構成は、特に、このように構成された支持筐体を有するドアー固定装置にも適用できる。
【００２０】
好適には、前記ドアー固定装置は、第一機能要素を受容する第一支持筐体、及びドアー保持棒に加えて、第二機能要素を受容する第二支持筐体を更に含んでいる。この場合に、前記第一機能要素と前記第二機能要素は共に、前記ドアー支持棒と相互に作用して、二つの前記第一支持筐体と前記第二支持筐体は各々、押出成形によって本質的に所望の長さの成形部材を製造して該成形部材から所定の長さで切り分けられた押出成形輪郭部材として形成されている。
【００２１】
例えば、前記二つの支持筐体の各々に、第二輪郭部を設けて、これら第二輪郭部に共通の固定手段を取り付けることによって、前記二つの支持筐体を互いに固定すれば、前記二つの支持筐体の取り付けを通じた本発明のドアー固定装置の組み立ては簡略化される。
【００２２】
この場合に、特に好適には、前記共通の固定手段は、第一リベット軸部と第二リベット軸部とを有するリベットである。前記第一リベット軸部は前記第一支持筐体の第二輪郭部を通り、前記第二リベット軸部は前記第二支持筐体の第二輪郭部を通る。
【００２３】
好適には、前記リベットは第三リベット軸部を有しており、該第三リベット軸部は、前記第一リベット軸部と前記第二リベット軸部との間に配置されており、前記二つの支持筐体を互いに離した状態に保つ。前記第三リベット軸部は、ドアー支持棒がそのわきに隣接して案内されるように構成される。このことは、本発明のドアー固定装置を組み立てる際に、二つの支持筐体に対するドアー支持棒の容易に再現が可能である最初の位置合わせのためには、好適であることを示している。
【発明の効果】
【００２４】
本発明によれば、簡単な方法で大量生産をすることができ、更に筐体部分の形状を適合させる必要がある場合には、筐体部分のためのダイを適切に変えれば、変更された要求に迅速に対応できる。
【発明を実施するための最良の形態】
【００２５】
本発明の更なる利点及び特徴は、好適実施例の以下の記載及び従属請求項により明らかになる。
【００２６】
本発明は好適実施例を参照して、以下に詳細に記述し説明される。
【００２７】
図１には、押出成形輪郭部材１の平面図が示されている。押出成形輪郭部材１は、本質的には、本明細書紙面に対して垂直に延びており、内側輪郭部２及び外側輪郭部３を有している。押出成形輪郭部材１は、本明細書紙面に対して垂直な仮想平面（図１の直線４）に対して鏡面対称である。
内側輪郭部２を、図１には示していない機能要素のための受容部４８として設けている。そのために、内側輪郭部２は、前記機能要素を全周方向にわたって取り囲む本質的に円形の包囲側壁４９を有している。押出成形輪郭部材１は、本質的に円形の外部輪郭線部２３を有している。外部輪郭線部２３上で、第一輪郭部５、第二輪郭部１４、及び第三輪郭部１８が、外側へと突出している。このために、前記三つの輪郭部５、１４、又は１８のいずれかを設けている位置での壁厚も減らされない。
【００２８】
押出成形輪郭部材１の外側輪郭部３は、受容開口部６、受容空間部７、及び二つの支持部８ａと８ｂを有する第一輪郭部５を含んでいる。受容空間部７は、第一切り込み部１３ａ及び第二切り込み部１３ｂにより形成されており、本質的に半円形状の端部７ａ及び７ｂで閉じている。二つの支持部８ａと８ｂは各々、できるだけ大きく平坦な支持面９ａ及び９ｂを有している。支持部８ａの第一端部１０ａが、支持部８ｂの第一端部１０ｂから離れて設けられている。支持部８ａの第二端部１１ａが、支持部８ｂの第二端部１１ｂに向いて設けられている。このため、第二端部１１ａ及び１１ｂは、受容開口部６の境界を構成する。第一端部１０ａ及び１０ｂは、本質的に半円形状の横断面を有している。一方で、第二端部１１ａ及び１１ｂは、直線部１２ａ及び１２ｂを有している。このため、前記受容開口部と受容空間部７とを合わせると、Ｔ形状の横断面輪郭を有している。
【００２９】
特に、第一輪郭部５は、例えば、（適当な切断面で）Ｔ形状を有する頭部と、軸部とを有している図示しないネジなどの、第一固定手段を受容することができる。この場合に、前記ネジのＴ形状の頭部は、受容空間部７の第一切り込み部１３ａ及び第二切り込み部１３ｂにより受容される。図１の直線４と本質的に垂直な前記ネジの動きを防止するために、前記ネジ頭部の横断面の側方境界部は、半円形状の端部７ａ及び７ｂの間に本質的にぴったりとはめ込まれることになる。前記ネジの軸部は、受容開口部６を通り、直線部１２ａ及び１２ｂに部分的に平坦に密接する。図１の直線４の方向に沿う前記ネジの固定により、例えば、車両の金属板などの図示しない支持部に、前記押出成形輪郭部材を固定することができる。この場合に、支持面９ａ及び９ｂは、車両の金属板に平坦に押し付けられ、広範囲にわたる相互の接触面をもたらす。
【００３０】
押出成形輪郭部材１の外側輪郭部３は、更に第二輪郭部１４を有している。第二輪郭部１４は、二つの部分からなり、図１の直線４で示される平面に関して鏡像対称に構成されている。この場合に、固定部１４ａは、第一アーム１５ａと第二アーム１６ａとを有し、固定部１４ｂは、第一アーム１５ｂと第二アーム１６ｂとを有している。二つの第一アーム１５ａと第二アーム１６ａは、約３００°以上の角度範囲で、本質的に円形状の空間１７ａを取り囲んでいる。また、二つの第一アーム１５ｂと第二アーム１６ｂも、約３００°以上の角度範囲で、本質的に円形状の空間１７ｂを取り囲んでいる。このため、空間１７ａ又は空間１７ｂは、（図１に示されていない）リベットの円筒形の軸部に、本質的にぴったりと係合して、該軸部を部分的に取り囲み、図１の紙面内で移動しないように確保されている。
【００３１】
外側輪郭部３は、更に第三輪郭部１８を有している。第三輪郭部１８は、第一脚部分２２ａを有している。第一脚部分２２ａは、本質的に垂直に前記外部輪郭線部から突出している境界平面部１９ａを有している。この場合に、突出部２０ａが境界平面部１９ａにつながっている。第三輪郭部１８は、図１の直線４に関して鏡像的に、境界平面部１９ｂと突出部２０ｂとを有する第二脚部分２２ｂを有している。この場合に、第一脚部分２２ａ及び第二脚部分２２ｂは、第二輪郭部１４の第二アーム１６ａ又は１６ｂに直接隣接している。このため、第二輪郭部１４及び第三輪郭部１８は、直接隣接して配置されている。
【００３２】
第三輪郭部１８は、例えば、ドアー固定装置のための端部ストッパー用部品などの、図１に示されていない略長方形の材料片を受容する。前記略長方形の材料片の長辺の一つが外部輪郭線部の輪郭部２１に密接して、前記略長方形の材料片の二つの短辺が境界平面部１９ａ及び１９ｂの間に位置することになる。この場合に、前記略長方形の材料片は、突出部２０ａ及び２０ｂにより保持される。即ち、突出部２０ａ及び２０ｂをわずかにかしめることにより、前記略長方形の材料片を、外部輪郭線部の輪郭部２１にしっかりと押し付けて押出成形輪郭部材１に固定することができる。
【００３３】
押出成形のために、図１に示されている横断面に相補的な形状を、押し出しのための開口として有しているダイを使用すれば、押出成形により、図１に示されているような横断面を有する成形部材を、所望の長さで製造することができる。特に、第一端部１０ａと１０ｂの縁、第二端部１１ａと１１ｂの縁、端部７ａと７ｂの縁、突出部２０ａと２０ｂの縁、及び第一アーム１５ａと１５ｂの縁及び第二アーム１６ａと１６ｂの縁を、丸みを帯びた縁にすれば、図１に示されているような横断面を有する前記成形部材の製造は簡略化される。
【００３４】
前記成形部材を所定の長さに切り分けることにより、第一開口端部２４と第二開口端部２５とを有する、所定の長さで切り分けられた押出成形輪郭部材１が製造される。
【００３５】
図２は、ドアー支持棒２６及び支持筐体２７を有するドアー固定装置を示す。
【００３６】
支持筐体２７は、第一筐体部分２７ａと第二筐体部分２７ｂとを有しており、二つの筐体部分２７ａ及び２７ｂは、本質的に所望の長さの成形部材を押出成形によって製造して該成形部材を所定の長さに切り分けることによって形成された、図１に示されている横断面を有する押出成形輪郭部材１であり、アルミニウム又はアルミニウム系合金から構成されている。二つの筐体部分２７ａ及び２７ｂは、同一に構成されている。また、二つの筐体部分２７ａ及び２７ｂは、ドアー支持棒２６により本質的に画成される平面上に対して、互いに関して鏡像対称に構成されている。以下、場合によって、断面図で示されている第一筐体部分２７ａ、又は分解組み立て図で示された第二筐体部分２７ｂのうちのいずれを明確にして説明しているかに応じて、二つの筐体部分２７ａ及び２７ｂのうちの一つだけを参照する。
【００３７】
支持筐体２７は、第一固定手段として設けられるネジ２８を有している。ネジ２８は、本質的に長方形のネジ頭部２８ａと本質的に円筒形のネジ軸部２８ｂとを有している。この場合に、ネジ２８は、適当な切断面で本質的にＴ形状の横断面を有している。その取り付け位置（図２では第一筐体部分２７ａ）に、ネジ頭部２８ａの各辺が、第一輪郭部５の第一切り込み部１３ａ及び第二切り込み部１３ｂにおいて、ぴったりと密接する。
【００３８】
支持筐体２７は、第二固定手段として構成される同種の二つのリベット２９ａ及び２９ｂを有している。前記各リベットの第一リベット軸部３０は、第一筐体部分２７ａの第二輪郭部１４の第一アーム１５ａ及び第二アーム１６ａの間に受容される。図２では、リベット２９ａの第一リベット軸部３０を、第一筐体部分２７ａに対してのみ示している。リベット２９ａ及び２９ｂは、更に第二リベット軸部３１を有している。図２では、第二リベット軸部３１は、リベット２９ｂに対してのみ示してあり、リベット２９ｂは第二筐体部分２７ｂの第二輪郭部１４の領域（図１）を通っている。リベット２９ａ及び２９ｂは各々、更に第三リベット軸部３２を有している。図２では、第三リベット軸部３２は、第二筐体部分２７ｂのためのリベット２９ｂに対してのみ示してある。この場合に、第三リベット軸部３２は、第一リベット軸部３０と第二リベット軸部３１との間に配置されている。第三リベット軸部３２は、第一リベット軸部３０と第二リベット軸部３１よりも幅広であり、二つの縁を形成する。このため、支持筐体２７の図２に示されている取り付け位置で、第一筐体部分２７ａと第二筐体部分２７ｂは、所定の長さの前記押出成形輪郭部材に切り分けることによって作り出された、第一アーム１５ａ又は１５ｂ、及び第二アーム１６ａ又は１６ｂの切断面の部分で、前記二つの縁に隣接する。
【００３９】
支持筐体２７は、更に、第一筐体部分２７ａと第二筐体部分２７ｂのそれぞれに対して、例えば、柔軟なプラスチック等の柔軟性材料により構成された材料片３３ａと３３ｂとを有している。材料片３３ａと３３ｂを、それぞれの第一脚部分２２ａ及び第二脚部分２２ｂの間の第三輪郭部１８（図１）に固定する。例えば、それぞれの第一脚部分２２ａ及び第二脚部分２２ｂの間の第三輪郭部１８に材料片３３ａ及び３３ｂを各々挟み込んで、突出部２０ａ及び２０ｂでかしめることにより第一筐体部分２７ａと第二筐体部分２７ｂに材料片３３ａと３３ｂを固定する。
【００４０】
本発明のドアー固定装置のドアー支持棒２６は、第一機能要素３５が相互に作用する第一面３４と、第二機能要素３６が相互に作用する図２では視認できない第二面と、リベット２９ｂの第三リベット軸部３２が隣接する第一側面３７と、リベット２９ａの（図２には示されていない）第三リベット軸部が隣接する図２では視認できない第二側面とを有している。このため、特に、ドアー支持棒２６は、リベット２９ａ及び２９ｂの部分に両側で隣接して、リベット２９ａ及び２９ｂにより案内される。ドアー支持棒２６は、更に、第一端部２６ａに第一軸受穿孔部３８と、第二端部２６ｂに第二軸受穿孔部４１とを有している。第一軸受穿孔部３８では、ドアー支持棒２６は、固定手段４０によって支承用ブラケット３９に回動可能に固定される。また、（図示しない）更に別の固定手段によって、ドアー支持棒２６を第二軸受穿孔部４１に回動可能に取り付けることができる。ドアー支持棒２６の第二端部２６ｂは、ドアー支持棒２６によって画成される平面に対して本質的に垂直に下げられている。このため、端部ストッパーの役割を果たすハンマー状頭部４２を設けている。端部ストッパー用部品として設けられた材料片３３ａ及び３３ｂは、第一筐体部分２７ａ及び第二筐体部分２７ｂのそれぞれの第三輪郭部１８で、ハンマー状頭部４２と相互に作用する。この場合に、柔軟なプラスチックで材料片３３ａ及び３３ｂを形成することにより、緩衝性の柔軟な端部ストッパーが確保できる。
【００４１】
第一機能要素３５を、第一筐体部分２７ａの中に受容させる。第一機能要素３５は、第一筐体部分２７ａの第一開口端部２４から突出して、ドアー支持棒２６の第一面３４と接触する。第二機能要素３６を、第二筐体部分２７ｂの中に受容させる。同様に、第二機能要素３６は、ドアー支持棒２６の（図示しない）第二面との相互の当接が可能となるまで、第二筐体部分２７ｂの第一開口端部２４から突出する。
【００４２】
第一筐体部分２７ａ及び第二筐体部分２７ｂのそれぞれの第二開口端部２５には、封止部４３ａ又は４３ｂをそれぞれ配置する。封止部４３ａ及び４３ｂは、第二開口端部２５を閉じる。第一筐体部分２７ａにおいて確認できるように、エンボス固定により、即ち、第二開口端部２５に隣接する周縁を内側にわずかに折り曲げることにより、封止部４３ａを第一筐体部分２７ａに固定する。
【００４３】
第一機能要素３５及び第二機能要素３６を、同種のものとして構成し、ドアー支持棒２６により画成される平面上に対して、鏡像的に相対して配置している。第一機能要素３５及び第二機能要素３６は、本質的に空洞を有する円筒形状の摺動部分４４を有しており、摺動部分４４の丸みの付けられた封止端部４４ａが、ドアー支持棒２６に当接して作用する。摺動部分４４の中に、ばね４６ａ及び４６ｂを受容させる。ばね４６ａ及び４６ｂは各々、封止部４３ａ又は４３ｂ上に支持されており、ドアー支持棒２６の方向に向かって、摺動部分に作用する。
【００４４】
図３は、本発明のドアー固定装置、及び取り付け位置にある図２の支持筐体２７を示している。この場合に、原動機付き車両の（図示しない）車体の金属板４５上に、ネジ２８によって支持筐体２７を固定する。リベット２９ａ及び２９ｂによって、第一筐体部分２７ａと第二筐体部分２７ｂを組み合わせて支持筐体２７を形成する。この場合に、支持筐体２７は、第一筐体部分２７ａ及び第二筐体部分２７ｂの外側輪郭部３の第一輪郭部５の支持面９ａ及び９ｂに沿って、金属板４５上に密接する。
【００４５】
第一機能要素３５及び第二機能要素３６がドアー支持棒２６と相互に作用すると、力が発生する。この力が、支持筐体２７より支持面９ａ及び９ｂを通して、金属板４５へと伝達される。支持面９ａ及び９ｂは、ドアー支持棒２６の第一軸受穿孔部３８と第二軸受穿孔部４１とを互いに結んでいる力の作用線４６と約６．５°の角度を成している。このため、発生した力が金属板４５上に一様に伝わらず、金属板４５を歪曲させる場合があるねじりモーメントが発生する。
【００４６】
図３に示されている支持筐体２７の場合では、支持面９ａ及び９ｂへ向かう垂線４７が、直線４（図１）と約０°の角度を成している。直線４は、支持筐体２７の、及び第一筐体部分２７ａと第二筐体部分２７ｂの残りの部分の配置方向を示している（図３の部分図３ａ）。
【００４７】
支持面９ａ及び９ｂを力の作用線４６の方向と本質的に垂直に配置することによって、ねじりモーメントの発生を抑制することができる。そのため、支持面９ａ及び９ｂ以外の支持筐体２７の残りの部分に対して、支持面９ａ及び９ｂを傾かせることになる。この結果、例えば、改良した支持筐体２７’に対しては、残りの部分に対して約５°だけ傾かせた支持面９ａ’及び９ｂ’を構成して、力の作用線４６と支持面９ａ’及び９ｂ’へ向かう垂線４７’との間のなす角度を著しく減らしている（図３の部分図３ｂ）。力の作用線４６と本質的に垂直となる支持面９ａ”及び９ｂ”の配置方向を可能にするために、必要のある場合には、垂線４７”と力の作用線４６との間の角度をより大きくして設けること（１０°又はそれ以上、図３の部分図３ｃ）が可能であることは明らかである。
【００４８】
押出成形輪郭部材１（図１）のためのダイを相応に適合させれば、図３、及びその部分図３ｂと３ｃに示されているような変更を、大量生産の際にも迅速に行うことができる。このため、変更された要求にも柔軟に対応できる。
【００４９】
本発明は以下のように機能する。
図１及び図３の部分図３ａから３ｃに示されているような筐体部分の所定の横断面を基にして、ダイを準備する。押出成形輪郭部材のための前記ダイの引出開口部は、筐体部分の横断面と一致する。次いで、押出成形により、内側輪郭部２、包囲側壁４９及び外側輪郭部３を有する本質的に所望の長さの成形部材が製造される。該成形部材から、少なくとも一つの押出成形輪郭部材１を所定の長さで切り分ける。このため、この所定の長さで切り分けられた押出成形輪郭部材１は、第一機能要素３５及び第二機能要素３６のための受容部４８として包囲側壁４９と共に設けられる第一開口端部２４と、第二開口端部２５とを有している。
【００５０】
封止部４３ａ又は４３ｂによって、第二開口端部２５を閉じる。この場合に、例えば、第二開口端部２５に隣接する周縁によって、封止部４３ａ及び４３ｂをかしめる。次に、端部ストッパー用部品として設けられる材料片３３ａ及び３３ｂを第三輪郭部１８に挿入し、突出部２０ａ及び２０ｂでかしめることにより材料片３３ａ及び３３ｂを固定する。
【００５１】
次に、第一機能要素３５及び第二機能要素３６をそれぞれ、第一筐体部分２７ａ及び第二筐体部分２７ｂのそれぞれの第一開口端部２４の中へ挿入して、そこに収容させる。
【００５２】
第一筐体部分２７ａ及び第二筐体部分２７ｂを組み合わせて支持筐体２７を形成する。このために、二つのリベット２９を、第一筐体部分２７ａ及び第二筐体部分２７ｂの第二輪郭部１４の空間１７ａと空間１７ｂに挿通させる。この場合に、第一筐体部分２７ａ及び第二筐体部分２７ｂの互いに向き合うそれぞれの第一開口端部２４は、第一開口端部２４の領域の第一アーム１５ａ又は１５ｂ、及び第二アーム１６ａ又は１６ｂを介して、二つのリベット２９の第三リベット軸部３２上に載置される。このため、第三リベット軸部３２は、第一筐体部分２７ａと第二筐体部分２７ｂを互いに離した状態に保つ。
【００５３】
次に、金属板４５に支持筐体２７を固定するためのネジ２８を取り付ける。この場合に、ネジ頭部２８ａを、第一筐体部分２７ａ及び第二筐体部分２７ｂの第一輪郭部５の第一切り込み部１３ａ及び第二切り込み部１３ｂに挿入して、ネジ２８を金属板４５に固定する。
【００５４】
最後にドアー支持棒２６を挿入する。ドアー支持棒２６の第一側面３７は、二つのリベット２９のそれぞれの第三リベット軸部３２に隣接している。このように、ドアー支持棒２６の第一側面３７は最初の取り付け中案内されており、ドアー支持棒２６が取り付け位置で外れるのを防いでいる。第一軸受穿孔部３８及び第二軸受穿孔部４１を設けて、作動位置にドアー固定装置を最後に取り付ける。
【００５５】
上述の実施例では、端部ストッパー用部品として設けられた材料片３３ａ及び３３ｂを、第三輪郭部１８の第一脚部分２２ａ及び第二脚部分２２ｂでかしめることにより、押出成形輪郭部材１に固定している。しかし、別の固定方法を使用してもよいことは明白である。例えば、接着結合により、前記端部ストッパー用部品を外部輪郭線部の輪郭部２１に固定することもできる。また別の方法として、又は補助的に、端部ストッパー用部品として設けられた前記材料片を曲げて第三輪郭部１８の中に挿入することを行ってもよい。この場合に、前記材料片は曲げられてそのため緊張して境界平面部１９ａ及び１９ｂの間に受容されて、突出部２０ａ及び２０ｂによって前記材料片が外れるのを防ぐ。
【００５６】
以上、実施例に基づいて本発明を説明した。実施例では、ドアー支持棒２６の関係する面に本質的に垂直に摺動して案内されるように、第一機能要素３５及び第二機能要素３６を第一筐体部分２７ａ及び第二筐体部分２７ｂに受容させている。しかし、別の機能要素を筐体部分に受容させてもよいことは明白である。例えば、このような機能要素は一つ以上のローラー部を含み、この場合に、該ローラー部がドアー支持棒２６の面上を転がって、本質的には、ドアー支持棒２６への前記機能要素の作用は、前記ローラー部による転がり摩擦に起因する。この場合に、前記ローラー部の軸受を筐体部分に配置する。
【００５７】
上記した実施例では、第一切り込み部１３ａ及び第二切り込み部１３ｂを有する第一輪郭部５を構成し、本質的にＴ形状の横断面を有するネジ２８のネジ頭部２８ａを第一切り込み部１３ａ及び第二切り込み部１３ｂに受容させている。しかし、別の輪郭部を設けてもよいことは明白である。例えば、ネジには本質的に半球形状の、又は少なくとも略球形状のネジ頭部を設けることが可能であり、前記ネジ頭部に対して本質的に相補的な横断面が形成された第一輪郭部に、前記ネジ頭部を受容させることができる。
【図面の簡単な説明】
【００５８】
【図１】本発明に従う支持筐体の実施例に対する押出成形輪郭部材の縦軸に沿う平面図を示す。
【図２】図1に記載の支持筐体を有する本発明に従うドアー固定装置の実施例の斜視図を示す。
【図３】取り付け位置での図２に記載のドアー固定装置及び図１及び図２に記載の支持筐体の平面図を示す。
【符号の説明】
【００５９】
１                              押出成形輪郭部材
２                              内側輪郭部
３                              外側輪郭部
４                              直線
５                              第一輪郭部
６                              受容開口部
７                              受容空間部
７ａ，７ｂ                      端部
８ａ，８ｂ                      支持部
９ａ，９ｂ                      支持面
９ａ’，９ｂ’，９ａ”，９ｂ”  支持面
１０ａ，１０ｂ                  第一端部
１１ａ，１１ｂ                  第二端部
１２ａ，１２ｂ                  直線部
１３ａ                          第一切り込み部
１３ｂ                          第二切り込み部
１４                            第二輪郭部
１４ａ，１４ｂ                  固定部
１５ａ，１５ｂ                  第一アーム
１６ａ，１６ｂ                  第二アーム
１７ａ，１７ｂ                  空間
１８                            第三輪郭部
１９ａ，１９ｂ                  境界平面部
２０ａ、２０ｂ                  突出部
２１                            輪郭部
２２ａ                          第一脚部分
２２ｂ                          第二脚部分
２３                            外部輪郭線部
２４                            第一開口端部
２５                            第二開口端部
２６                            ドアー支持棒
２６ａ                          第一端部
２６ｂ                          第二端部
２７                            支持筐体
２７ａ                          第一筐体部分
２７ｂ                          第二筐体部分
２８                            ネジ
２８ａ                          ネジ頭部
２８ｂ                          ネジ軸部
２９ａ，２９ｂ                  リベット
３０                            第一リベット軸部
３１                            第二リベット軸部
３２                            第三リベット軸部
３３ａ，３３ｂ                  材料片
３４                            第一面
３５                            第一機能要素
３６                            第二機能要素
３７                            第一側面
３８                            第一軸受穿孔部
３９                            支承用ブラケット
４０                            固定手段
４１                            第二軸受穿孔部
４２                            ハンマー状頭部
４３ａ，４３ｂ                  封止部
４４                            摺動部分
４４ａ                          封止端部
４５                            金属板
４６                            力の作用線
４６ａ，４６ｂ                  ばね
４７，４７’                    垂線
４８                            受容部
４９                            包囲側壁
【図１】
2009508023.tif 000003
【図２】
2009508023.tif 000004
【図３】
2009508023.tif 000005
【国際調査報告】
2009508023.tif 000006
2009508023.tif 000007
2009508023.tif 000008
2009508023.tif 000009